(57)【要約】【課題】簡単な構成で、落差工のない水路に容易に設置することができ、水路を流れる水のエネルギーを有効に利用して発電することが出来る水力発電装置を提供する。【解決手段】水路１２の中に流路を塞ぐように設置され水流を受けて回転するランナ２０と、ランナ２０と連動して発電を行う発電機５０を有する。ランナ２０を保持したランナ保持枠３６と、ランナ２０を覆うように設けられ水路１２の水流がランナ２０の下方のブレード４２に流れるようにガイドするとともに、上流側の水位を調節する水位調節カバー５４を備える。水位調節カバー５４は、水路１２のほぼ全幅に亘り位置し、水深方向の位置を調整可能に設けられている。水位調節カバー５４は、ランナ保持枠３６に取り付けられたカバー駆動用モータ５６により、ランナ２０と同軸に揺動する。【選択図】図１
2014040825.tif 000002
【特許請求の範囲】
【請求項１】
水路の中に流路を塞ぐように設置され水流を受けて回転するランナと、このランナにより駆動されて発電を行う発電機と、前記ランナを保持したランナ保持枠と、前記ランナを覆うように設けられ前記水路の水流が前記ランナの下方のブレードに流れ込むようにガイドするとともに、上流側の水位を調節する水位調節カバーとを備え、前記水位調節カバーの前記水路の水深方向の位置により、前記水路の前記水位調節カバーより上流側の水位を調整して前記ランナを回転させ発電を行うことを特徴とする水力発電装置。
【請求項２】
前記水位調節カバーは、前記水路のほぼ全幅に亘り位置し、前記水路の水深方向の位置を調整可能に設けられている請求項１記載の水力発電装置。
【請求項３】
前記水位調節カバーは、前記ランナ保持枠に取り付けられたカバー駆動用モータにより前記ランナと同軸に揺動して、前記水路の底面に対する先端部の位置を調整可能に設けられている請求項２記載の水力発電装置。
【請求項４】
前記水位調節カバーの先端部には、前記水路の水流を前記ランナの前記ブレード方向へガイドする上部ガイド板が設けられている請求項３記載の水力発電装置。
【請求項５】
前記ランナ保持枠は、前記ランナとともに上方に退避可能に設けられ、前記ランナ保持枠を上方へ退避させる駆動装置を備えた請求項１記載の水力発電装置。
【請求項６】
前記ランナ保持枠は、前記水路の両岸に設けられたランナ保持アームの先端部に取り付けられ、前記駆動装置により前記ランナ保持アームを揺動させて前記水路から上方へ退避可能に設けられている請求項５記載の水力発電装置。
【請求項７】
前記ランナ保持枠の上流側には、前記ランナに流入するゴミを除去するスクリーンが設けられ、前記スクリーンは前記ランナ保持枠とともに前記水路の上方に退避可能に設けられている請求項５記載の水力発電装置。
【発明の詳細な説明】
【技術分野】
【０００１】
この発明は、農業用又は工業用水路等の開水路中に設置される小形の水力発電装置に関する。
【背景技術】
【０００２】
一般に、開水路は水流による水路の損傷を少なくするため、流速を遅くする勾配の部分を長くし、落差工によって流れる水のエネルギーを減勢している。従って、水路の流水エネルギーを回収するには、落差工に水力発電装置を設置する場合が多い。
【０００３】
このような農業用又は工業用の開水路に設置される小形の水力発電装置として、例えば、特許文献１に開示されている用水路用水力発電装置が提案されている。この水力発電装置は、は、農業用水路等の小さい落差工の下流側水路底面に設置されるもので、落差工のある越流堰の下流側に固定されている。水車ユニットは、複数のべーンを有する周知のものであり、ランナの上流側に、給水開口が位置し、給水開口は、ランナの軸の高さ位置よりやや下方に位置している。この給水開口の上下方向の幅は、可動上枠を上下動させることで調整可能に形成されている。この水力発電装置は、用水路の越流堰を超えた水が用水路固定枠のスクリーンを通って落下し、給水開口からランナの下面を流れ、ベーンを有するランナを回転させ、その回転が無端チェーンを介して発電機に伝達され、発電するものである。
【０００４】
また、特許文献２に開示された定水量開放型水車発電装置は、水路の水流の形状や流速に応じて、定流量ガイドを上下させて吸込口の位置を調整することによって、一定の流量の水を吸込口から取り入れて、水車ランナへ導水し、発電する構造としている。さらに、吸水口から取り入れられた流水はノズルから噴射され、ランナのベーンに噴射された水が一定の角度で入るような形状に形成されている。
【先行技術文献】
【特許文献】
【０００５】
【特許文献１】特開２００３−２６９３１５号公報
【特許文献２】特開２００４−６８６５５号公報
【発明の概要】
【発明が解決しようとする課題】
【０００６】
上記背景技術の特許文献１，２に開示された発電装置の場合、水路の段差部分である落差工に設置しなければならず、落差の程度や幅により調整が必要となり、設置が難しいものであった。しかも、水路を流れる水は、低勾配の部分の水流も運動エネルギーを持っており、そのエネルギーは未利用になっており、水路を流れる水の全エネルギーを有効に利用しているものではなかった。
【０００７】
この発明は、上記背景技術の問題点に鑑みてなされたものであり、簡単な構成で、水路の大規模な土木工事を必要とせず、落差工のない水路に容易に設置することができ、水路を流れる水のエネルギーを有効に利用して発電することが出来る水力発電装置を提供することを目的とする。
【課題を解決するための手段】
【０００８】
この発明は、水路の中に流路を塞ぐように設置され水流を受けて回転するランナと、このランナにより駆動されて発電を行う発電機と、前記ランナを保持したランナ保持枠と、前記ランナを覆うように設けられ前記水路の水流が前記ランナの下方のブレードに流れ込むようにガイドするとともに上流側の水位を調節する水位調節カバーとを備え、前記水位調節カバーの前記水路の水深方向の位置により前記水路の前記水位調節カバーより上流側の水位を調整して前記ランナを回転させ発電を行う水力発電装置である。
【０００９】
前記水位調節カバーは、前記水路のほぼ全幅に亘り位置し、前記水路の水深方向の位置を調整可能に設けられているものである。
【００１０】
前記水位調節カバーは、前記ランナ保持枠に取り付けられたカバー駆動用モータにより前記ランナと同軸に揺動して、前記水路の底面に対する先端部の位置を調整可能に設けられている。
【００１１】
前記水位調節カバーの先端部には、前記水路の水流を前記ランナの前記ブレード方向へガイドする上部ガイド板が設けられている。
【００１２】
前記ランナ保持枠は、前記ランナとともに上方に退避可能に設けられ、前記ランナ保持枠を上方へ退避させる駆動装置を備えている。
【００１３】
前記ランナ保持枠は、前記水路の両岸に設けられたランナ保持アームの先端部に取り付けられ、前記駆動装置により前記ランナ保持アームを揺動させて、前記水路から上方へ退避可能に設けられている。
【００１４】
前記ランナ保持枠の上流側には、前記ランナに流入するゴミを除去するスクリーンが設けられ、前記スクリーンは前記ランナ保持枠とともに前記水路の上方に退避可能に設けられている。
【発明の効果】
【００１５】
この発明の水力発電装置によれば、落差工のない水路の任意の位置に設置することができ、水路の改修などの大規模な土木工事を必要とせず、水路を流れる水のエネルギーを有効に利用して発電することができる。しかも、勾配がある水路であれば、水路に設置する数は任意であり、一定の流量でも効率よく発電することができる。
【００１６】
特に、この発明の水力発電装置は、水車自体や水位調節カバーが水路を塞ぐことにより、上流水位を上昇させ、上下流水位差を生じさせ、ランナに流れ込む水流の落差を高めて、流水の運動エネルギー及び位置エネルギーを効率よくランナから発電機に伝達して発電することができる。これにより、落差工のない水路の適宜の位置に水力発電装置を設置して、効率の良い発電を行うことができる。
【００１７】
さらに、ランナを覆うように設けられた水位調節カバーによって、ランナに流れ込む水の水位を調節しながら発電することができ、水力発電装置自体で上下流に位置エネルギー差を生じさせることから、落差工のない水路の任意の位置に設置して、安定に発電することができる。
【００１８】
その他、水力発電装置の上流水位を感知して、ランナを上方に退避させる上下用ジャッキ装置を備えているので、水路からの溢水を防止することができる。また、上流から水力発電装置に流れ込むゴミを捕獲して、ランナへの侵入を阻止するとともに、ランナの上方への退避と同時に、ゴミを下流に放流するようにしたので、ゴミ詰まりによる発電効率の低下を防止することができる。
【図面の簡単な説明】
【００１９】
【図１】この発明の一実施形態の水力発電装置の左側面図である。
【図２】この実施形態の水力発電装置の下流側から見た縦断面図である。
【図３】この実施形態の水力発電装置のランナ保持枠上面部材の背面図である。
【図４】この実施形態のランナの拡大左側面図である。
【発明を実施するための形態】
【００２０】
以下、この発明の実施形態について図面に基づいて説明する。図１〜図４はこの発明の一実施形態を示すもので、この実施形態の水力発電装置１０は、水路１２のコンクリート製の両岸１２ａに、Ｈ鋼等による台座１３が敷設され、台座１３上にＨ鋼等によるコ字形の固定枠１４が立設されている。固定枠１４の両岸１２ａに掛け渡された梁部１４ａ上には、後述する水車であるランナ２０を、水路１２から引き上げる駆動装置としての上下用ジャッキ装置１６が取り付けられている。
【００２１】
上下用ジャッキ装置１６は、雌ネジ部材１８を備え、雌ネジ部材１８には、垂直方向に設けられた雄ネジ軸部材２６が螺合している。雄ネジ軸部材２６の下端部は連結部材２４に揺動可能に連結している。連結部材２４は、ランナ２０を保持した一対の鋼材から成るランナ保持アーム２２の下流側先端より僅かに上流側の間に架け渡され、連結部材２４の両端が、各ランナ保持アーム２２に固定されている。一対のランナ保持アーム２２の上流側端部は、揺動軸２２ａにより軸支され、下流側の先端側が上下用ジャッキ装置１６により揺動可能に設けられている。
【００２２】
雌ネジ部材１８は、上下用ジャッキ装置１６の手動ハンドル２８に連結されて回動自在に取り付けられているとともに、上下用ジャッキ装置１６の上下動用駆動モータ３０に連結され、回動可能に設けられている。これにより、雌ネジ部材１８は、手動ハンドル２８により回転して雄ネジ軸部材２６を上下動させるとともに、上下動用駆動モータ３０によっても回転して、雄ネジ軸部材２６を上下動させる。
【００２３】
上下用ジャッキ装置１６は、ランナ保持アーム２２の揺動により、自身も揺動可能に梁部１４ａに軸支され、雄ネジ軸部材２６の下端部も連結部材２４に軸支され、揺動可能に設けられている。また、雄ネジ軸部材２６は、上下用ジャッキ装置１６の上方に突設された挿通部材３２に挿通ガイドされ、上下動する。
【００２４】
一対のランナ保持アーム２２の下流側先端部には、コ字形のランナ保持枠３６が取り付けられ、コ字形の両側中央部に、ランナ２０が軸支された回転軸３８を軸支した軸受け４０が取り付けられている。ランナ２０の外周側には、等間隔に円弧状のブレード４２が固定され、後述する水流を受けてランナ２０を回転させる。
【００２５】
ランナ２０の回転軸３８の一方の端部には、スプロケット４４が固定され、発電機５０側のスプロケット４６との間にチェーン４８が掛け渡されている。発電機５０は、ランナ保持枠３６の上方から水平に一体的に延出した上面部材３６ａに設置され、スプロケット４６との間で、増速機５２を介して連結されている。
【００２６】
ランナ保持枠３６には、ランナ２０の上流側に位置してランナ２０を覆った水位調節カバー５４が設けられている。水位調節カバー５４は、ランナ２０の上方であって、ランナ２０に沿ってほぼ１８０度の円弧状の範囲を覆うように設けられている。水位調節カバー５４は、ランナ２０の上流側下方に下端縁５４ａが位置し、水位調節カバー５４は回転軸３８と同軸にランナ保持枠３６に軸支されている。さらに、水位調節カバー５４は、ランナ２０に対して同軸に揺動可能に設けられ、下端縁５４ａの位置を、ランナ２０の上流側下方で上下方向に調節可能に設けられている。
【００２７】
ランナ保持枠３６の上面部材３６ａの中央部上流側には、水位調節カバー５４を回動させるためのカバー駆動用モータ５６が設けられ、カバー駆動モータ５６の回転軸から延長された回転軸に、ウォーム５８が固定されている。ウォーム５８は、ホイール６０に螺合し、ホイール６０は、カバー駆動軸６２に固定されている。カバー駆動軸６２の両端部には、平歯車６４が固定され、平歯車６４の歯が、水位調節カバー５４の上端面に設けられたラック６６に歯合し、水位調節カバー５４を揺動し、先端部５４ａを上下動可能に設けられている。
【００２８】
ランナ保持枠３６の上流側には、水路１２全体に渡されたスクリーン６８が取り付けられている。スクリーン６８は、水路１２の幅とほぼ等しく、水路上部から底面１２ｂにかけて設置され、スクリーン６８の下端部がやや下流側に傾斜して設置され、ランナ２０にゴミ等が流入しないように形成されている。スクリーン６８は、上端部が台座１３に設けられた揺動軸６８ａに軸支され、ランナ保持枠３６とともに、ランナ保持アーム２２により上下方向に揺動可能に設けられている。
【００２９】
水位調節カバー５４の下端部５４ａには、ランナ２０の下方に向いて下流側に傾斜した上部ガイド板７０が一体に固定され、水路１２の水の流れを、ランナ２０のブレード４２方向にガイドしている。水路１２の底面１２ｂにも、ランナ２０の下部に向かって、上流側から下流側に向かって徐々に上方に傾斜した下部ガイド板７２が固定されている。
【００３０】
固定枠１４の上流側には、水路１２の底面１２ｂに届くように設置された水位計３４が設けられ、水力発電装置１０が設置された箇所の上流側の水位を常時計測可能に設けられている。水位計３４による水位情報は、水位調節カバー５４の位置を調節する際にも利用される。
【００３１】
次に、この実施形態の水力発電装置１０の動作について説明する。水路１２に設置された水力発電装置１０には、図４に示すように、水路１２内の水Ｗが上流側から流入する。このとき、水路１２には、水力発電装置１０のランナ保持枠３６が幅一杯に位置して、ランナ２０が、図２に示すように、水路幅に近い幅で少なくともブレード４２が水中に位置するように流れに対向して位置している。
【００３２】
この状態で水路１２は、水力発電装置１０のランナ２０等により流路が塞がれた状態となり、上流側の水位が上昇する。上昇する水位は、水力発電装置１０に流入する水と流出する水の流量が等しくなる流速になるまで上昇し安定になる。これにより、図４に示すように、水路１２の水力発電装置１０の上流側の水位が高く下流側が低い水位となり、水力発電装置１０に流入する水Ｗの水圧及び流速が高められる。このときの水位調節カバー５４の位置は、上流側の水Ｗが効率よくランナ２０に流れ込む位置に設定する。水位調節カバー５４の位置調節は、カバー駆動用モータ５６によりウォーム５８を回転させ、ホイール６０を介してカバー駆動軸６２を回転させ、カバー駆動軸６２の両端部の平歯車６４により、水位調節カバー５４のラック６６を移動させることにより行う。
【００３３】
水路１２の水Ｗは、水力発電装置１０の水位調節カバー５４により堰き止められて、水位調節カバー５４の上部ガイド板７０によりがイドされて、上部ガイド板７０の下側に流れ込み、水路１２の底面１２ｂの下部ガイド板７２により、水路底面１２ｂ付近の水流がランナ２０の下方に位置したブレード４２に向かって流れる。これにより、ランナ２０のブレード４２には流速が増した水Ｗが効率よく当たり、水流の位置エネルギー及び運動エネルギーがブレード４２に伝達され、ランナ２０を高速で回転させる。
【００３４】
ランナ２０の回転は、回転軸３８を経てスプロケット４４、チェーン４８、スプロケット４６を介して、増速機５２に伝わり、増速されて発電機５０を回転させ発電を行う。
【００３５】
この水力発電装置１０による発電出力Ｐは以下のように求められる。ランナ２０の上流部の比エネルギーＥ１、下流部の比エネルギーＥ２、水路１２の高さＨ、有効落差Ｈｅ、上流部の水深Ｈ１、下流部の水深Ｈ２、上流部の流速ｖ１、下流部の流速ｖ２、水流量Ｑ、重力加速度ｇとすると、
Ｅ１＝Ｈ１＋ｖ１２／（２ｇ）        （１）
Ｅ２＝Ｈ２＋ｖ２２／（２ｇ）        （２）
であるので、有効落差Ｈｅは、式（１）、（２）より
Ｈｅ＝Ｅ１−Ｅ２
＝（Ｈ１＋ｖ１２／（２ｇ））−（Ｈ２＋ｖ２２／（２ｇ））
＝（Ｈ１−Ｈ２）−１／（２ｇ）・（ｖ１２−ｖ２２）        （３）
となる。
【００３６】
よって、創出エネルギーＰｏは、Ｐｏ＝９．８ＨｅＱと表すことができる。出力Ｐは、水車効率をηとすると、
Ｐ＝Ｐｏη    （４）
となり、式（３）、（４）より、水力発電装置１０の前後の水路１２の水位と流速、流量から出力Ｐを、求めることができる。
【００３７】
なお、この水力発電装置１０には、水位計３４が設けられ、水位調節カバー５４の位置を適切に制御することができ、さらに上流側の水位が上昇しすぎると、水路１２から水があふれる恐れがあるため、ランナ２０等を退避させることができる。ランナ２０の退避は、水位が一定以上になると、図示しない制御装置により警報等が発せられ、上下用ジャッキ装置１６の手動ハンドル２８を手動で回して、または上下動用駆動モータ３０を駆動して、ランナ２０とともにランナ保持枠３６を上昇させることにより行う。ランナ２０の退避動作は、手動ハンドル２８又は上下動用駆動モータ３０の回転により、雌ネジ部材１８を回転させ、雌ネジ部材１８に対して雄ネジ軸部材２６を上昇させる。雄ネジ軸部材２６の上昇により、連結部材２４とともにランナ保持アーム２２が持ち上げられて、ランナ保持アーム２２の先端部に固定されたランナ保持枠３６が上方に揺動する。このとき、雄ネジ軸部材２６は、アーム部材２２の揺動に伴って上昇するため、自身も揺動する。
【００３８】
ランナ保持アーム２２の上方への揺動により、ランナ保持枠３６が上昇すると、ランナ保持枠３６に取り付けられたスクリーン６８も上昇する。スクリーン６８は、水路１２の両岸１２ａに軸支された揺動軸６８ａを中心に揺動して、水路下端部側が上昇する。これにより、スクリーン６８の上流側の面が水路１２の底面１２ｂと対面するように上昇するので、スクリーン６８の上流側面に付着したゴミは水路１２内に落下し、水Ｗの流れとともに下流に流される。
【００３９】
この実施形態の水力発電装置１０によれば、水路１２を水力発電装置１０により塞ぐことにより、上流水位が上昇し、上下流水位差を生じさせ、ランナ２０に流れ込む水流の落差を高めて、運動エネルギーを効率よくランナ２０から発電機５０に伝達して発電することができる。これにより、落差工のない水路１２の適宜の位置に水力発電装置１０を設置することができ、勾配のある水路１２を流れる水流の位置エネルギーや運動エネルギーを有効に利用して、水力発電を行うことができる。さらに、ランナ２０を覆うように設けられた水位調節カバー５４によって、ランナ２０に流れ込む水量を調節しながら発電することができる。特に、水力発電装置１０自体で上下流に位置エネルギー差を生じさせることから、落差工のない水路１２の任意の位置に設置することができる。
【００４０】
その他、水力発電装置１０の上流水位を感知して、ランナ２０を上方に退避させる上下用ジャッキ装置１６を備えているので、水路１２からの溢水を防止することができる。また、上流から水力発電装置１０に流れ込むゴミを捕獲して、ランナ２０への侵入を阻止するとともに、ランナ２０の上方への退避と同時に、ゴミを下流に放流するようにしたので、ゴミ詰まりによる発電効率の低下を防止することができる。
【００４１】
なお、この発明の発電装置は上記実施形態に限定されず、ランナの大きさやブレードの数は適宜設定されるものであり、水位調節カバーの形状も適宜設定し得るものである。ランナ保持枠も、ランナ保持アームによる揺動式に上下する他、固定枠に設けられた駆動装置により上下するものでも良い。
【符号の説明】
【００４２】
１０  水力発電装置
１２  水路
１４  固定枠
１６  上下用ジャッキ装置
１８  雌ネジ部材
２０  ランナ
２２  ランナ保持アーム
２６  雄ネジ軸部材
３０  上下動用駆動モータ
３６  ランナ保持枠
４２  ブレード
５０  発電機
５４  水位調節カバー
７０  上部ガイド板
７２  下部ガイド板
【図１】
2014040825.tif 000003
【図２】
2014040825.tif 000004
【図３】
2014040825.tif 000005
【図４】
2014040825.tif 000006